(57)【要約】【課題】保守作業の後、ユニット２を装着するときに前面パネル開口部５に手が入りユニット２に指が挟まれることを防止する。【解決手段】媒体挿入口４を有するユニット２を装置内に備え、装置前面側を覆う前面パネル３に、媒体挿入口４近傍を開口する前面パネル開口部５を設けた自動取引装置１において、前面パネル３の内側に遮断パネル７を配置し、遮断パネル７は前面パネル開口部５より狭い遮断パネル開口部６を備え、かつ前面パネル３に対しフローティング可能に支持することにより、ユニット２を装着するときに、媒体挿入口４に遮断パネル開口部６の位置を合せられるよう構成した。【選択図】図１
2017037535.tif 000002
【特許請求の範囲】
【請求項１】
媒体挿入口を有するユニットを装置内に備え、装置前面側に設けた前面パネルに、前記ユニットの前記媒体挿入口を開口する前面パネル開口部を設けた自動取引装置において、
前記前面パネルの前記前面パネル開口部と、前記ユニットの前記媒体挿入口との間に配置され、前記前面パネルに支持される遮断パネルを設け、
前記遮断パネルは、前記前面パネル開口部より狭くかつ前記媒体挿入口と略同一サイズの遮断パネル開口部を有することを特徴とする自動取引装置。
【請求項２】
前記前面パネルは、前記遮断パネルを支持する遮断パネル支持手段を備え、
前記遮断パネルは、前記遮断パネル支持手段を挿入する支持孔を備え、
前記支持孔の大きさは前記遮断パネル支持手段より大とすることにより、前記遮断パネル支持手段は、前記遮断パネルをフローティング構造によって支持することを特徴とする請求項１記載の自動取引装置。
【請求項３】
前記遮断パネル支持手段の先端に径細部を形成し、
前記遮断パネル支持手段の径細部にワッシャとＥリングを嵌合することにより、前記遮断パネル支持手段は、前記フローティング構造によって前記遮断パネルを支持することを特徴とする請求項２記載の自動取引装置。
【請求項４】
前記遮断パネル支持手段は前記前面パネルの裏面の左右に複数設け、
前記支持孔は前記遮断パネルに左右に複数設け、
前記支持孔の一方を長孔としたことを特徴とする請求項２又は３記載の自動取引装置。
【請求項５】
前記遮断パネルは、先端がテーパ状の位置決めピンを備え、
前記ユニットは、前記位置決めピンと嵌合させる嵌合穴を備え、
前記ユニットを装着するときに、前記位置決めピンと前記嵌合穴を嵌合させて、前記遮断パネル開口部に前記ユニットの前記媒体挿入口を位置合せ可能としたことを特徴とする請求項２又は３記載の自動取引装置。
【請求項６】
前記遮断パネル支持手段は、前記前面パネル開口部の装置左右方向中央に設けた楕円柱の支持部であり、前記支持孔は、前記遮断パネル支持手段に対向する位置に設けた長孔の支持孔としたことを特徴とする請求項２又は３記載の自動取引装置。
【請求項７】
前記遮断パネルは、媒体セットステージを設けた媒体挿入ガイドを備え、
前記媒体挿入ガイドは、前記前面パネル開口部から装置前面側へ突出している
ことを特徴とする請求項１乃至６記載の自動取引装置。
【請求項８】
媒体挿入口を有するユニットを装置内に備え、装置前面側に設けた前面パネルに前面パネル開口部を設けた自動取引装置において、
前記前面パネルの前記前面パネル開口部の装置前面側に、前記媒体挿入口へ通じるベゼル開口部と媒体セットステージを備えたべゼルを配置し、
前記べゼルに一体として固定される遮断パネルを、前記前面パネルと前記ユニットの前記媒体挿入口との間に配置し、
前記べゼルの前記べゼル開口部は前記媒体挿入口と略同一サイズであることを特徴とする自動取引装置。
【請求項９】
前記べゼルの装置後面側は、前記前面パネル開口部と所定の間隔が形成されることにより、
前記遮断パネルと前記べゼルとが前記前面パネルに対しフローティング構造によって支持されることを特徴とする請求項８記載の自動取引装置。
【請求項１０】
前記遮断パネルは、先端がテーパ状の位置決めピンを備え、
前記ユニットは、前記位置決めピンと嵌合させる嵌合穴を備え、
前記ユニットを装着するときに、前記位置決めピンと前記嵌合穴を嵌合させて、前記べゼルの前記べゼル開口部に前記ユニットの前記媒体挿入口を位置合せ可能としたことを特徴とする請求項８又は９記載の自動取引装置。
【請求項１１】
前記べゼルの装置前面側は、前記前面パネル開口部より大きく構成したことを特徴とする請求項９記載の自動取引装置。
【発明の詳細な説明】
【技術分野】
【０００１】
本発明は、現金自動預払い機及び券売機等の自動取引装置における媒体挿入口の構造に関するものである。
【背景技術】
【０００２】
一般に金融機関等には、顧客の操作により現金等の媒体の出し入れを行う現金自動預払い機及び券売機等の自動取引装置が設置されている。そして自動取引装置には、その装置内に現金、カード及び通帳等の媒体を取扱う複数のユニットを備えている。これらのユニットには、接客面側の装置前面側に媒体が挿入される媒体挿入口がそれぞれ備えられている。更に、自動取引装置の前面側には、装置前面側を覆う前面パネルを備え、前面パネルには上記ユニットの媒体挿入口近傍を開口する開口部が設けられている。従って、前面パネルの開口部にはユニットの媒体挿入口が位置することにより、前面パネルの開口部は、ユニットにより塞がれる。
【０００３】
この自動取引装置においては、媒体の補充及び交換等を行うために、自動取引装置の後面扉を適時に開けてユニットを引き出す後面保守作業が行われる。この保守作業のとき、ユニットにより塞がれていた前面パネルの開口部が開いたままとなり、開口部に物又は指を入れられるおそれがあった。
これを防止するため、特許第５２１５４６５号公報（特許文献１）には、前面パネルの開口部を塞ぐシャッタを設け、開口部に物又は指を入れられないようにする自動取引装置が開示されている。特許文献１によれば、ユニットを引き出すときにシャッタを閉じ、後面保守作業が終了してユニットを再び装着するときにシャッタを退避させるようにするものである。
【先行技術文献】
【特許文献】
【０００４】
【特許文献１】特許第５２１５４６５号公報
【発明の概要】
【発明が解決しようとする課題】
【０００５】
しかしながら、上記の構成の自動取引装置では、後面保守作業が終了してユニットを装着するときに、シャッタを退避させるためには一定の時間を要し、その間は前面パネルの開口部が開いたままの状態となる。この間に装置前面側から顧客等が開口部に物又は指を入れてしまい、前面パネルとユニットの間に物又は指が挟まれるという可能性があった。
本発明の課題は、このような問題を解決することを課題とし、ユニットを装着するとき、前面パネルの開口部に物又は指を入れられて前面パネルとユニットの間に物又は指が挟まれることを防止する自動取引装置を提供することを目的とする。
【課題を解決するための手段】
【０００６】
上記課題を解決するために本発明に関する自動取引装置は、媒体挿入口を有するユニットを装置内に備え、装置前面側に設けた前面パネルに、前記ユニットの前記媒体挿入口を開口する前面パネル開口部を設けた自動取引装置において、前記前面パネルの前記前面パネル開口部と、前記ユニットの前記媒体挿入口との間に配置され、前記前面パネルに支持される遮断パネルを設け、前記遮断パネルは、前記前面パネル開口部より狭くかつ前記媒体挿入口と略同一サイズの遮断パネル開口部を有することを特徴とするものである。
【発明の効果】
【０００７】
本発明によれば、前面パネルの前面パネル開口部と、ユニットの媒体挿入口との間に配置され、前面パネルに支持される遮断パネルを設け、遮断パネルは、前面パネル開口部より狭くかつユニットの媒体挿入口と略同一サイズの遮断パネル開口部を有する構成としたので、ユニットを装着するとき、前面パネル開口部に物又は指を入れられることがなく、物又は指がユニットに挟まれることを防止することができる。
【図面の簡単な説明】
【０００８】
【図１】第１の実施の形態に関する自動取引装置を装置前面側から見た外観斜視図である。
【図２】第１の実施の形態に関する自動取引装置の前面パネル開口部近傍を装置前面側から見た分解斜視である。
【図３】第１の実施の形態に関する自動取引装置の前面パネル開口部近傍を装置後面側から見た分解斜視図である。
【図４】第１の実施の形態に関する自動取引装置の遮断パネル支持部の分解斜視図である。
【図５】第１の実施の形態に関する自動取引装置のＹ１−Ｙ１断面図である。
【図６】第１の実施の形態の変形例に関する自動取引装置の前面パネル開口部近傍を装置後面側から見た分解斜視図である。
【図７】第１の実施の形態の変形例に関する自動取引装置の前面パネル開口部近傍を装置前面側からみた分解斜視図である。
【図８】第２の実施の形態に関する自動取引装置の前面パネル開口部近傍を装置前面側からみた分解斜視図である。
【図９】第２の実施の形態に関する自動取引装置のＹ２−Ｙ２断面図である。
【発明を実施するための形態】
【０００９】
（第１の実施の形態）
以下に本発明の第１の実施の形態を説明する。まず、第１の実施の形態に関する自動取引装置の構成を説明する。各図面に共通な要素には同一の符号を付す。
図１は、第１の実施の形態に関する自動取引装置を装置前面側から見た外観斜視図である。自動取引装置１は、金融機関等に設置され、顧客の操作により現金等の媒体の出し入れを行う。自動取引装置１は、装置内に現金、カード、通帳等の媒体を取扱う複数のユニット２を備える。図１には、そのうち一のユニット２のみ示す。これらのユニット２には、図示しない媒体が挿入され又は排出される媒体挿入排出口（以下、単に媒体挿入口４という）が設けられている。後面保守作業の際、即ち、保守員が装置後面側から保守作業を行う際、ユニット２は、自動取引装置１の筐体に設けられたガイドレール１６にガイドされながら矢印Ａ方向に引き出され、保守作業が終了すると、ガイドレール１６にガイドされながら矢印Ｂ方向に装着される。
【００１０】
更に、第１の実施の形態に関する自動取引装置１は、装置前面側を覆うように前面パネル３が設けられ、前面パネル３にはユニット２の媒体挿入口４近傍、即ちユニット２の媒体挿入口４を含んでその周囲を開口するように媒体挿入口４のサイズより大きいサイズからなる前面パネル開口部５が設けられている。そして、この前面パネル３の前面パネル開口部５とユニット２の媒体挿入口４の間には、前面パネル開口部５から指等の進入を遮断するために、後述する遮断パネル７が配置された構成となっている。
なお、以下の説明では、図１の矢印Ｘ方向を装置左右方向、矢印Ｙ方向を装置上下方向、矢印Ｚ方向を装置前後方向という。
【００１１】
次に、前面パネル開口部５近傍の構成を説明する。図２は、第１の実施の形態に関する自動取引装置の前面パネル開口部近傍を装置前面側から見た分解斜視図である。
自動取引装置１の前面パネル３には、所定の位置に媒体の挿入を受け入れる前面パネル開口部５を備えている。前面パネル開口部５は、挿入される媒体の幅方向（Ｘ軸方向）を長辺とする長方形の開口である。前面パネル開口部５のサイズは、前述のようにユニット２の媒体挿入口４近傍、即ちユニット２の媒体挿入口４を含んでその周囲を開口するように媒体挿入口４のサイズより大きいサイズからなる。更に、前面パネル３の裏側、即ち装置後面側には、次に説明する遮断パネル７を支持するための遮断パネル支持手段としての遮断パネル支持部９が前面パネル開口部５の左右両側に固定して設けられている。遮断パネル支持部９は前面パネル３の装置後面側から矢印Ａ方向に延びる円柱形状を成している。遮断パネル支持部９は、遮断パネル７の支持孔７ａ及び長孔の支持孔７ｂに嵌合し、遮断パネル７を支持する。遮断パネル支持部９の詳細は後述する。
【００１２】
遮断パネル７は、前面パネル３の前面パネル開口部５とユニット２の媒体挿入口４との間に配置され、前面パネル３の遮断パネル支持部９によって支持されている。遮断パネル７は、前面パネル開口部５より大きいサイズの板状であり、ほぼ中央に媒体の挿入を受け入れる遮断パネル開口部６が設けられている。遮断パネル開口部６は、挿入される媒体の幅方向（Ｘ軸方向）を長辺とする薄い長方形の開口である。遮断パネル開口部６の位置は、前面パネル開口部５及びユニット２の媒体挿入口４に対応する位置である。遮断パネル開口部６のサイズは、前面パネル開口部５よりも狭く、媒体挿入口４と略同一であり、媒体は挿入できるが指は挿入できないサイズである。
【００１３】
また、遮断パネル７の裏側、即ち装置後面側には、位置決めピン８が、遮断パネル開口部６の左右両側に固定して設けられている。位置決めピン８は、遮断パネル開口部６をユニット２の媒体挿入口４の位置に合せるためにある。この位置決めピン８は、遮断パネル７の装置後面側から矢印Ａ方向に延びる円柱形状を成し、先端はテーパ状になっており、後述するユニット２の嵌合穴２ａ及び嵌合穴２ｂに嵌合させ易くなっている。
【００１４】
更に、遮断パネル７には、支持孔７ａ及び長孔の支持孔７ｂが、遮断パネル開口部６の左右両側に設けられている。支持孔７ａ及び支持孔７ｂは、２個の遮断パネル支持部９をそれぞれ挿入する。なお、支持孔７ｂは長孔としなくてもよいが、長孔とすることにより、遮断パネル７を前面パネル３に支持し易くなるとともに、遮断パネル７を装置左右方向に移動させ易くなる。この支持孔７ａ、７ｂの内径の大きさは、遮断パネル支持部９の直径より大である。そのため、遮断パネル支持部９を挿入したときに、遮断パネル支持部９と支持孔７ａ、７ｂの内径とは所定の隙間が発生する。本実施の形態では、この隙間を使用して、遮断パネル支持部９は、遮断パネル７を後述するフローティング構造によって支持する。
【００１５】
一方、自動取引装置１のユニット２には、装置前面側に媒体の挿入を受け入れる媒体挿入口４が設けられる。媒体挿入口４は、挿入される媒体の幅方向（Ｘ軸方向）を長辺とする薄い長方形の挿入排出口である。更に、媒体挿入口４の左右両側に嵌合穴２ａ及び長穴の嵌合穴２ｂが設けられている。嵌合穴２ａ及び嵌合穴２ｂは、遮断パネル７の２個の位置決めピン８とそれぞれ嵌合することにより、遮断パネル７の遮断パネル開口部６と媒体挿入口４の位置合せを行う。嵌合穴２ｂは、長穴としなくてもよいが、長穴とすることによりユニット２の嵌合穴２ｂを遮断パネル７の位置決めピン８に嵌合させ易くなるとともに、装置左右方向の位置誤差を吸収させることができる。
【００１６】
図３は、第１の実施の形態に関する自動取引装置の前面パネル開口部近傍を装置後面側から見た分解斜視図である。図３は遮断パネル７を前面パネル３の遮断パネル支持部９に取付ける構造を示す。また、図４は、第１の実施の形態に関する自動取引装置の遮断パネル支持部の分解斜視図である。図４（ａ）は第１の実施の形態に関する遮断パネル支持部９を示し、図４（ｂ）については後述する。図４（ａ）に示すように、前面パネル３に設けた遮断パネル支持部９の先端の一部は、直径の細くなった同心状の径細部９−１が形成されている。
【００１７】
まず、図３に示すように本実施の形態に関する遮断パネル７は、前面パネル３に設けた２個の遮断パネル支持部９を支持孔７ａ、７ｂにそれぞれ挿入する。遮断パネル支持部９を挿入後、ワッシャ１０を遮断パネル支持部９の先端から図４（ａ）の矢印Ｂ方向へ通し、Ｅリング１１を矢印Ｃ方向から径細部９−１へ嵌めることによって、遮断パネル７は前面パネル３に支持されることになる。遮断パネル支持部９と支持孔７ａ、７ｂ間には前述のように所定の隙間が設けられているので、遮断パネル７は矢印Ｂ方向には固定されるが、前面パネル３に対し装置上下左右方向に移動可能なフローティング状態で支持されることになる。
なお、図２に示すように、遮断パネル支持部９及び位置決めピン８の位置は、支持孔７ａ、７ｂ及び嵌合穴２ａ、２ｂに対向するように配置すればよく、必ずしも図２に示す位置としなくてもよい。
【００１８】
以上の構成を有する自動取引装置１は、図５に示すように各部が結合される。図５は、第１の実施の形態に関する自動取引装置のＹ１−Ｙ１断面図である。以下に各部の組立て手順について説明する。
先ず、組立作業員は遮断パネル７を、自動取引装置１の装置後面側から前面パネル３の裏面側へ近づける。前面パネル３の前面パネル開口部５近傍で、前面パネル３の２個の遮断パネル支持部９を支持孔７ａ及び支持孔７ｂに挿入する。その後、２個の遮断パネル支持部９の先端よりワッシャ１０を挿入し、Ｅリング１１を径細部９−１へ嵌める。こうして、遮断パネル７を前面パネル３の裏面側に支持させる。この状態は前述のように遮断パネル７が前面パネル３に対し装置上下左右方向にフローティング状態で支持されていることになる。
【００１９】
その後、組立作業員は、ユニット２を装置後面側から矢印Ｂ方向に移動し、自動取引装置１の遮断パネル７に装着する。ユニット２は、自動取引装置１の筐体に設けられたガイドレール１６にガイドされながら移動する。そして、前面パネル３の前面パネル開口部５近傍で、遮断パネル７の２個の位置決めピン８がユニット２の嵌合穴２ａ及び２ｂにそれぞれ嵌合する。
【００２０】
このとき、２個の位置決めピン８と嵌合穴２ａ及び２ｂの間に装置上下左右方向の誤差のための位置ずれが生じていても、遮断パネル７の２個の位置決めピン８の先端はテーパ状になっており、かつ、遮断パネル７は前面パネル３に対しフローティング状態で支持されているので、遮断パネル７は位置ずれした分移動し易くなっている。即ち、ユニット２と遮断パネル７との間の装置上下左右方向の誤差を吸収することができる。言い換えると、ユニット２の媒体挿入口４と遮断パネル開口部６の位置が合うように遮断パネル７が移動して位置決め可能となる。
【００２１】
また保守作業において、保守員は、ユニット２を自動取引装置１の遮断パネル７から外し、装置前面側から矢印Ａ方向に移動する。そして、保守作業を行った後、保守員は組立作業時と同様に、ユニット２を装置後面側から矢印Ｂ方向に移動し、自動取引装置１の遮断パネル７に装着する。ユニット２は、自動取引装置１の筐体に設けられたガイドレール１６にガイドされながら移動する。そして、前面パネル３の前面パネル開口部５近傍で、遮断パネル７の２個の位置決めピン８がユニット２の嵌合穴２ａ及び２ｂにそれぞれ嵌合する。
このように、保守作業時においても、組立作業時と同様に、遮断パネル７の位置決めピン８の先端がテーパ状になっており、かつ、遮断パネル７は前面パネル３に対しフローティング状態で支持されているため、ユニット２と遮断パネル７との間の装置上下左右方向の誤差を吸収することができる。言い換えると、ユニット２の媒体挿入口４と遮断パネル開口部６の位置が合うように遮断パネル７が移動して位置決め可能となる。
【００２２】
このように、第１の実施の形態に関する自動取引装置１は、前面パネル開口部５から指等の進入を遮断するように遮断パネル７が配置される。また、遮断パネル７は前面パネル３に対しフローティング状態で支持されているため、ユニット２の媒体挿入口４に遮断パネル開口部６の位置が合せられ、そのため遮断パネル開口部６によりユニット２の媒体挿入口４が狭められることがない。
【００２３】
（第１の実施の形態の変形例１）
遮断パネル７を前面パネル３へ支持する構造は、図４（ａ）に示すようなフローティング状態で支持する構造に限らない。即ち、図４（ｂ）に示した構成としてもよい。図４（ｂ）は第１の実施の形態の変形例１に関する遮断パネル支持部２９を示す。図４（ｂ）は遮断パネル支持部９に替え、遮断パネル支持部２９を用いた例である。遮断パネル支持部２９の先端には、支持ピン２２が嵌通するピン孔２９−２が、遮断パネル支持部２９の直径方向に形成されている。第１の実施の形態の変形例１において、遮断パネル７の支持孔７ａ、７ｂに遮断パネル支持部２９を挿入した後、支持ピン２２を矢印Ｃ方向に嵌め込んで遮断パネル７を支持する構造としてもよい。
【００２４】
これにより、遮断パネル支持部２９と支持孔７ａ、７ｂ間には第１の実施の形態と同様に所定の隙間が設けられているので、遮断パネル７は矢印Ｂ方向には固定されるが、前面パネル３に対し装置上下左右方向に移動可能なフローティング状態で支持されることになる。
【００２５】
（第１の実施の形態の変形例２）
以上の第１の実施の形態に関する自動取引装置１の説明では、図３に示したように、前面パネル３に遮断パネル支持部９を２個設け、遮断パネル７に２個の支持孔７ａ、７ｂを設けることを説明したが、これに限らない。図６は、第１の実施の形態の変形例２に関する自動取引装置の前面パネル開口部近傍を装置後面側から見た分解斜視図である。
【００２６】
即ち、前面パネル３にピン孔３９−１を設けた１個の楕円柱からなる遮断パネル支持部３９を前面パネル開口部５の上側に設け、遮断パネル７には、遮断パネル支持部３９に対応する位置に長孔の支持孔２７を設ける。そして、遮断パネル支持部３９を長孔の支持孔２７に挿入し、支持ピン２２で遮断パネル７を支持するようにしてもよい。この場合も、長孔の支持孔２７の大きさは、遮断パネル支持部３９を挿入したときに遮断パネル支持部３９と所定の隙間が発生する大きさとする。
一方、位置決めピン８についても、図３に示すように複数設ける替わりに、図６に示すように前面パネル開口部５の下方に１個設けるようにしてもよい。
【００２７】
（第１の実施の形態の変形例３）
また、以上の第１の実施の形態に関する自動取引装置１の説明では、遮断パネル７の構成を図２に示す板状とすることを説明したが、遮断パネル７の構成はこれに限らない。図７は第１の実施の形態の変形例３に関する自動取引装置の前面パネル開口部近傍を装置前面側からみた分解斜視図である。即ち、遮断パネル７に媒体の挿入をガイドする媒体セットステージ１７を設けた媒体挿入ガイド１２を備える構成としてもよい。
【００２８】
自動取引装置１の前面パネル３には、所定の位置に前面パネル開口部５を備えている。前面パネル開口部５は、第１の実施の形態と同様に図２に示したユニット２の媒体挿入口４近傍、即ちユニット２の媒体挿入口４を含んでその周囲を開口するように媒体挿入口４のサイズより大きいサイズからなる。更に、前面パネル３の裏側、即ち装置後面側には、遮断パネル７を支持するための遮断パネル支持手段としての遮断パネル支持部９が前面パネル開口部５の左右両側に固定して設けられている。そして、第１の実施の形態と同様、遮断パネル支持部９は前面パネル３の装置後面側から矢印Ａ方向に延びる円柱形状を成している。遮断パネル支持部９は、後述する遮断パネル７の支持孔７ａ及び長孔の支持孔７ｂに嵌合して遮断パネル７を支持する。
【００２９】
遮断パネル７は、前面パネル３の前面パネル開口部５とユニット２の媒体挿入口４との間に配置され、前面パネル３の遮断パネル支持部９によって支持されている。遮断パネル７は、前面パネル開口部５より大きいサイズの板状であり、ほぼ中央に媒体の挿入を受け入れる遮断パネル開口部６が設けられている。遮断パネル開口部６は、挿入される媒体の幅方向（Ｘ軸方向）を長辺とする薄い長方形の開口である。遮断パネル開口部６の位置は、前面パネル開口部５及びユニット２の媒体挿入口４に対応する位置である。遮断パネル開口部６のサイズは、前面パネル開口部５よりも狭く、媒体挿入口４と略同一であり、媒体は挿入できるが指は挿入できないサイズである。
【００３０】
遮断パネル７の遮断パネル開口部６には、媒体の挿入をガイドする媒体セットステージ１７を設けた媒体挿入ガイド１２が設けられる。媒体セットステージ１７は、遮断パネル開口部６の淵から装置前面側に向かって矢印Ｂ方向に延びた平面状の板である。更に、媒体挿入ガイド１２には、媒体セットステージ１７の媒体の幅方向（Ｘ軸方向）左右両側に、媒体セットステージ１７に対して左右両側に垂直に設けた媒体セットガイド１７−１、１７−２が設けられる。
【００３１】
遮断パネル７が、前面パネル３の装置後面側に組み立てられたときは、遮断パネル７の媒体挿入ガイド１２は、前面パネル開口部５から装置前面側へ突出することになる。これにより、顧客は媒体をユニット２の媒体挿入口４に挿入し易くなる。
【００３２】
また、遮断パネル７の裏側、即ち装置後面側には、位置決めピン８が、遮断パネル開口部６の左右両側に固定して設けられている。位置決めピン８は、遮断パネル開口部６を図２に示すユニット２の媒体挿入口４の位置に合せるためにある。この位置決めピン８は、第１の実施の形態と同様、遮断パネル７の装置後面側から矢印Ａ方向に延びる円柱形状を成し、先端はテーパ状になっており、後述するユニット２の嵌合穴２ａ及び嵌合穴２ｂに嵌合させ易くなっている。
【００３３】
更に、遮断パネル７には、支持孔７ａ及び長孔の支持孔７ｂが、遮断パネル開口部６の左右両側に設けられている。支持孔７ａ及び支持孔７ｂは、２個の遮断パネル支持部９をそれぞれ挿入する。なお、支持孔７ｂは長孔とすることにより、遮断パネル７を前面パネル３に支持し易くなるとともに、遮断パネル７を装置左右方向に移動させ易くなる。この支持孔７ａ、７ｂの内径の大きさは、遮断パネル支持部９の直径より大である。そのため、遮断パネル支持部９を挿入したときに、遮断パネル支持部９と支持孔７ａ、７ｂの内径とは所定の隙間が発生する。
【００３４】
自動取引装置１のユニット２については、第１の実施の形態と同様であるので説明を省略する。
以上、第１の実施の形態の変形例３の構成とすることにより、遮断パネル開口部６に媒体を挿入する場合、媒体挿入ガイド１２にガイドされて媒体を挿入させることができ、操作性を改善することができる。
【００３５】
以上のように第１の実施の形態に関する自動取引装置１によれば、前面パネル３の装置後面側に遮断パネル７を配置し、該遮断パネル７には、前面パネル開口部５より狭い遮断パネル開口部６を設ける。更に、遮断パネル７は、前面パネル３に装置上下左右方向にフローティング状態で支持され、ユニット２を装着するときに媒体挿入口４に遮断パネル開口部６の位置を合せられるようにしたので、ユニット２を後面側に引き出して再度装着するとき指が挟まれることを防止することができる。
【００３６】
更に、ユニット２を装着するときはもとより、ユニット２がどの位置にあっても、前面パネル開口部に物又は指を入れられることがなく、物又は指がユニット２に挟まれることを防止することができる。更に、遮断パネル開口部６のサイズはユニット２の媒体挿入口４と略同一サイズとしたので、媒体挿入口４が、遮断パネル開口部６によって狭くなることもなく、媒体挿入排出に支障が生ずることもない。
【００３７】
（第２の実施の形態）
第２の実施の形態に関する自動取引装置１は、第１の実施の形態に関する自動取引装置１に対しベゼル１３を備えた構成である。図８は、第２の実施の形態に関する自動取引装置の前面パネル開口部近傍を装置前面側からみた分解斜視図である。図９は第２の実施の形態に関する自動取引装置のＹ２−Ｙ２断面図である。
【００３８】
図８に示すように、自動取引装置１の前面パネル３には、所定の位置に前面パネル開口部５を備えている。前面パネル開口部５は、第１の実施の形態と同様に図２に示したユニット２の媒体挿入口４近傍、即ちユニット２の媒体挿入口４を含んでその周囲を開口する程度で、媒体挿入口４のサイズより大きいサイズからなる。
【００３９】
前面パネル３の前面パネル開口部５の装置前面側には、媒体の挿入を容易にするためのベゼル１３が設けられる。ベゼル１３は、顧客が媒体をセットし易くするための媒体セットステージ２１と、ベゼル挿入口１８−１と、ベゼル開口部１８−２と、遮断パネル７を固定する遮断パネル固定部１４及びこれらを形成するベゼル本体１３−１から構成される。ベゼル１３のサイズは、ベゼル１３の装置後面側が前面パネル開口部５より所定の隙間だけ小さい。一方、ベゼル１３の装置前面側から見たとき、ベゼル１３のサイズは、前面パネル開口部５を覆い隠す大きさとなっている。従って、装置前面側からはべゼル１３と前面パネル開口部５の隙間は見えないので、良好な外観が得られる。
【００４０】
ベゼル挿入口１８−１はベゼル１３の装置前面側に形成され、顧客が媒体を挿入する入口となる。ベゼル開口部１８−２はベゼル１３の装置後面側に形成され、媒体セットステージ２１を通過した媒体を遮断パネル７の遮断パネル開口部６及び図２に示すユニット２の媒体挿入口４へ通じる開口である。ベゼル開口部１８−２のサイズは、ベゼル挿入口１８−１よりも狭く、媒体挿入口４と略同一であり、媒体は挿入できるが指は挿入できないサイズである。
【００４１】
媒体セットステージ２１は、ベゼル挿入口１８−１及びベゼル開口部１８−２の間に設けられ、媒体の挿入をガイドする平面状の板部分である。ベゼル本体１３−１には、媒体セットステージ２１の媒体の幅方向（Ｘ軸方向）左右両側に、媒体セットステージ２１に対して垂直に設けた媒体セットガイド２１−１、２１−２が形成される。
【００４２】
遮断パネル固定部１４はベゼル本体１３−１の装置後面側に固定されて、装置後面側へ向けて矢印Ａ方向へ延びるように形成される。遮断パネル固定部１４は、べゼル１３と遮断パネル７を一体として固定するための遮断パネル固定手段として機能し、ベゼル開口部１８−２上側の位置に固定して設けられている。そして、遮断パネル固定部１４は後述する遮断パネル７の固定孔３７ａ及び長孔の固定孔３７ｂに嵌合する。
【００４３】
遮断パネル７は、前面パネル３とユニット２の媒体挿入口４との間に配置され、ベゼル本体１３−１の遮断パネル固定部１４によって固定されている。遮断パネル固定部１４の先端は、固定ネジ１５がワッシャ１０を介して螺合するよう形成されている。遮断パネル７は、前面パネル開口部５より大きいサイズの板状であり、ほぼ中央に媒体の挿入を受け入れる遮断パネル開口部６が設けられている。
【００４４】
遮断パネル開口部６は、挿入される媒体の幅方向（Ｘ軸方向）を長辺とする薄い長方形の開口である。遮断パネル開口部６の位置は、前面パネル開口部５及びユニット２の媒体挿入口４に対応する位置である。遮断パネル開口部６のサイズは、前面パネル開口部５よりも狭く、媒体挿入口４と略同一であり、媒体は挿入できるが指は挿入できないサイズである。
【００４５】
また、遮断パネル７の裏側、即ち装置後面側には、位置決めピン８が、遮断パネル開口部６の左右両側に固定して設けられている。位置決めピン８は、図２に示すユニット２の媒体挿入口４をベゼル開口部１８−２に位置合せするためにある。この位置決めピン８は、第１の実施の形態と同様、遮断パネル７の装置後面側から矢印Ａ方向に延びる円柱形状を成し、先端はテーパ状になっており、ユニット２を装着するとき、後述するユニット２の嵌合穴２ａ及び嵌合穴２ｂに嵌合させ易くなっている。
【００４６】
更に、遮断パネル７には、固定孔３７ａ及び長孔の固定孔３７ｂが、遮断パネル開口部６の上方の左右両側に設けられている。固定孔３７ａ及び長孔の固定孔３７ｂは、２個の遮断パネル固定部１４をそれぞれ挿入する。なお、固定孔３７ｂは長孔とすることにより、遮断パネル７を前面パネル３に固定し易くなるとともに、遮断パネル７を装置左右方向に移動させ易くなる。
【００４７】
また、ベゼル本体１３−１は、図９の破線部ａ１及びａ２に示すように、ベゼル１３を前面パネル３の前面パネル開口部５に嵌め込んだときに、ベゼル本体１３−１と前面パネル開口部５の内径の間に所定の隙間が形成されるようになっている。このようにベゼル本体１３−１と前面パネル開口部５の内径の間に所定の隙間を設けることにより、ベゼル１３と一体となった遮断パネル７を前面パネル３に対し装置上下左右方向にフローティング状態で支持することができる。
【００４８】
なお、ユニット２は、図面の簡略化のために省略しているが、図２の第１の実施の形態に関する自動取引装置１のユニット２と同様に、位置決めピン８と嵌合し、ユニット２の媒体挿入口４をベゼル開口部１８−２の位置合せするための嵌合穴２ａ及び長穴の嵌合穴２ｂが設けられている。
【００４９】
以上の構成により、第２の実施の形態に関する自動取引装置１では、次のように各部が固定される。先ず、前面パネル３の前面パネル開口部５にベゼル１３を装置前面側から嵌め込み、前面パネル３を挟み込むようにベゼル１３と遮断パネル７で固定する。即ち、２個の固定ネジ１５を固定孔３７ａ、３７ｂにそれぞれ挿入し、固定ネジ１５及びワッシャ１０を遮断パネル固定部１４に固定する。
【００５０】
このとき、前述のように前面パネル開口部５とベゼル１３とは、図中破線部ａ１部及びａ２部のように所定の隙間が設けられているので、ベゼル１３と一体となった遮断パネル７が前面パネル３に対し装置上下左右方向に移動可能なフローティング状態となって支持される。
【００５１】
そして、図５の第１の実施の形態に関する自動取引装置１と同様、ユニット２を装置後面側から装着すると、遮断パネル７の位置決めピン８がユニット２の装置前面側に設けられた嵌合穴２ａ及び２ｂに嵌合する。
そして、遮断パネル７に一体に固定されたベゼル１３が前面パネル３に対しフローティング状態となっているので、ユニット２の媒体挿入口４と、ベゼル開口部１８の位置が合うように移動して位置決めされる。
【００５２】
以上詳細に述べたように第２の実施の形態に関する自動取引装置１によれば、ベゼル１３を前面パネル開口部５に嵌め込んだときに、ベゼル１３と前面パネル開口部５間に所定の隙間が形成されるようにしたので、遮断パネル７に一体に固定されたベゼル１３が前面パネル３に対しフローティング状態となって支持される。従って、第１の実施の形態に関する自動取引装置１の効果を得ることができる。更に、装置前面側から見たベゼル１３の大きさを前面パネル開口部５を覆い隠すようにしたので、装置前面側からはベゼル１３と前面パネル開口部５の隙間が発生せず、良好な外観を得ることができる。
【符号の説明】
【００５３】
１  自動取引装置
２  ユニット
３  前面パネル
４  媒体挿入口
５  前面パネル開口部
６  遮断パネル開口部
７  遮断パネル
８  位置決めピン
９  遮断パネル支持部
１２  媒体挿入ガイド
１３  ベゼル
【図１】
2017037535.tif 000003
【図２】
2017037535.tif 000004
【図３】
2017037535.tif 000005
【図４】
2017037535.tif 000006
【図５】
2017037535.tif 000007
【図６】
2017037535.tif 000008
【図７】
2017037535.tif 000009
【図８】
2017037535.tif 000010
【図９】
2017037535.tif 000011